(57)【要約】【課題】  転写ベルトを交換するときには、転写ベルトのみを転写装置から簡単に取外し可能であり、且つ、転写装置が設けられる静電記録装置の小型化を図ることができる転写装置の提供。【解決手段】  転写ベルト部４０のコロトロンワイヤに高圧電圧を印加するための高圧給電部６０は、収納ユニットや転写ベルト部４０によって支持されてはおらず、本体フレームによって支持されている。高圧給電部６０においては、高圧給電部６０の基部に形成された長穴にネジのシャフトの部分が貫通し、ネジは長穴に対して相対的に移動可能且つ回動可能である。高圧給電部６０の他端部は、転写ベルト部４０の略円筒状保護部材によって回動可能に支持される。高圧給電部６０は、第１のローラの回転軸４１Ａとは異なるネジを中心に回動する。【選択図】図１７
2006071771.tif 000002
【特許請求の範囲】
【請求項１】
本体フレームと、該本体フレーム内において回転可能に支持され、略円柱状をなし、表面に静電潜像が形成され該静電潜像の形成された該表面に該現像剤が付着される記録体と、該本体フレーム内に収容され、高電圧を該記録体に印加するための帯電器と、該本体フレーム内に収容され、高電圧が印加された該記録体に露光を行うため露光器と、該本体フレーム内に収容され、トナーを該記録体上に供給してトナー像を該記録体上に形成するための現像装置とを備える静電記録装置に設けられる転写装置であって、
第１のローラと第２のローラとの少なくとも２つのローラと、該２つのローラを掛渡すようにして設けられた無端状の転写ベルトとを有する転写ベルト部と、
該記録体上のトナー像を被転写材に転写するためのコロナ転写器と、該転写ベルトを該記録体に押圧するための支持ローラとを有し該転写ベルト部から着脱可能な収納ユニットと、
該コロナ転写器に高電圧を印加するための高圧給電部とを備え、
該本体フレーム内において該第１のローラが該本体フレームに回転可能に支持されることにより該第１のローラを回転軸として回動可能であり、該本体フレームに対して着脱可能であり、該転写ベルトによって該被転写材を該記録体に押圧し、トナーと逆極性の電荷を印加することにより該記録体上のトナー像を該被転写材に転写する転写装置において、
該高圧給電部は、一端側の部分が該本体フレームに回動可能に支持されて高圧給電部回転軸をなし、他端側の部分が該転写ベルト部に回動可能に支持され、該転写ベルト部の回転軸とは異なる該高圧給電部回転軸を中心に回動することを特徴とする転写装置。
【請求項２】
該収納ユニットは収納ユニット本体を有し、該収納ユニット本体は略平行に配置された一対の板状部を有し、
該一対の板状部にはそれぞれ同一形状の切欠き部が形成され、該切欠き部は、開口部と、該開口部から平行に延出する切欠き部平行部と、該開口部が形成されている該切欠き部平行部の一端に対する他端に接続され該切欠き部平行部の幅よりも径の大きい円形部とからなり、
該第１のローラの回転軸の外周は、該切欠き部の該円形部と略同一径の一対の円弧状部と、該一対の円弧状部を互いにむすび該切欠き部の該平行部の幅と略同一幅の一対の回転軸平行部とを有し、
該切欠き部平行部と該回転軸平行部とは、該収納ユニットが該転写ベルト部に装着され該トナー像の該被転写材への転写が行われているときには平行の位置関係にならず、該転写ベルト部が該収納ユニットに対して所定角度回動された状態のときに平行の位置関係となることを特徴とする請求項１記載の転写装置。
【請求項３】
該高圧給電部の一端側の部分には長穴が形成され、該長穴にはシャフトが挿入され、該シャフトの一端は該本体フレームに固定されることにより該高圧給電部は該本体フレームに回動可能に支持され、該シャフトは該長穴内を相対的に移動可能であり、
該転写ベルト部が回動しているときには該シャフトが該長穴内を相対的に移動することを特徴とする請求項１記載の転写装置。
【請求項４】
該本体フレームに対して着脱する際に該収納ユニットを着脱方向へ案内するための案内部を該本体フレームが有していることを特徴とする請求項１記載の転写装置。
【請求項５】
該転写ベルト部内にはコロトロンワイヤが設けられ、
該コロトロンワイヤの少なくとも一端は該転写ベルト部から突出するワイヤ突出部を有し、該ワイヤ突出部は、該ワイヤ突出部に同軸的に設けられた略円筒状保護部材により保護され、
該高圧給電部には、略円筒状をなし該略円筒状保護部材の外径よりも大きな内径を有し、該略円筒状保護部材を挿入可能な略円筒状保護部材受け部が設けられ、
該略円筒状保護部材受け部の該転写ベルト部に対向する一端部は、内径が該略円筒状保護部材受け部の他端側から該一端に近づくに従い徐々に大きくなる拡径部を有していることを特徴とする請求項１記載の転写装置。
【発明の詳細な説明】
【技術分野】
【０００１】
本発明は、転写装置に関し、特に、電子写真法を用いる複写機、レーザビームプリンタ等の静電記録装置において、感光体ドラム上に形成されたトナー像を、転写ベルトによって感光体ドラムに押圧された用紙等の被転写材に転写する転写装置に関する。
【背景技術】
【０００２】
電子写真法を用いるカット紙レーザプリンタや複写機等の静電記録装置の転写装置では、転写ベルト方式が採用されている。転写ベルトは、用紙等の被転写材の搬送と転写とを行い、誘電体ベルトにより構成されている。この転写ベルト方式では、用紙に対向当接する誘電体ベルトの表面に対する裏面から、コロナ放電により電荷を与えることでベルトの表面に電荷を誘起させ、この電荷により用紙を吸着して搬送し、感光体ドラム上に形成された画像を用紙に転写する。
【０００３】
転写ベルト方式では、従来から多用されているコロナ放電によって転写分離するコロトロン転写方式と比較して、用紙をドラムに押し付け、その後分離するための機構が不要である。このため、簡単な構成で安定して用紙を搬送できる。更に、転写ベルトによって用紙を感光体ドラムに密着させて転写を行うので、画質がコロトロン転写方式よりも優れており、特に用紙の先端から後端まで均一に印刷できるという利点がある。
【０００４】
しかし、転写ベルトは、使用時にコロナ放電によって発生するオゾンに曝され、更に用紙との摩擦によって電気抵抗や弾性率が変動し劣化する。電気抵抗が大きく変動すると、用紙上にトナー画像を転写する効率を意味する転写効率が低下し、画質が劣化する。また、転写ベルトは無端状であり一対のローラ等に掛け渡されることにより張力が作用した状態で支持され、この状態で一方のローラを駆動する。このため、弾性率が変動すると転写ベルトの移動速度が変わってしまい、感光体ドラムとの速度差が顕著になる。この結果、用紙に転写した画像に文字ぶれが生じるなどの印刷品質の低下を招くことになる。そこで、転写ベルト方式では、転写ベルトが劣化すると転写ベルトを交換する必要がある。
【０００５】
特開平８−１２３２９４号公報には、転写ベルトを駆動するためのローラと、転写ベルトを架張するためのテンションロール等の少なくとも複数のロールとを有する転写装置を備える画像形成装置が記載されている。この構成では、少なくとも一つのローラの回転軸を、画像形成時の回転駆動位置から他のロール方向に移動させるためのロール移動機構が設けられており、ロール移動機構により転写ベルトの張力が開放された状態とされて転写ベルトの交換作業が行われる。
【０００６】
特開平５−２１３４７２号公報には、転写ベルトを備える転写ユニットを装置本体から別な場所に移動させずに、装置本体前方に引き出した状態でベルト交換作業を行うことができる画像形成装置におけるベルト搬送装置が記載されている。
【０００７】
特開平５−１８４４９号公報には、３本のローラが設けられたベルト駆動装置が記載されている。第１のローラと第２ローラとの両端は、一対のブレードによって支持されており、一対のブレードの外側には、それぞれテンションブレードが設けられている。テンションブレードは、第３のローラの両端を支持しており、ブレードに対してスライド移動可能である。テンションブレードがスライド移動され、転写ベルトに作用している張力が開放された状態とされ、転写ベルトの交換が行われる。
【０００８】
特開２００３−７６１５０号公報には、転写ベルトを保持する転写ベルト保持ユニットと、転写ベルト保持ユニットを実装する収納ユニットとを備える転写装置が記載されている。収納ユニットに設けられた連結シャフトと同位相形状を持つ保持部材によって転写ベルト保持ユニットは保持されている。
【０００９】
特開平６−１８１０７１号公報には、つる巻きバネが給電板に圧着される構成により、高圧給電部材の組立性の容易化と給受電の確実安定化を可能とした高圧給電方法が記載されている。
【特許文献１】特開平８−１２３２９４号公報
【特許文献２】特開平５−２１３４７２号公報
【特許文献３】特開平５−１８４４９号公報
【特許文献４】特開２００３−７６１５０号公報
【特許文献５】特開平６−１８１０７１号公報
【発明の開示】
【発明が解決しようとする課題】
【００１０】
しかし、転写ベルト方式では、転写装置の構成によっては転写ベルトの交換に時間を要し、保守コストの増大につながるという問題が生じていた。
【００１１】
例えば、プリンタ、複写機では、保守を容易にするために転写ベルトを有する転写装置の部分をユニットとして構成する方式が知られている。この方式では、引出し可能な静電記録装置の収納機構にユニットが実装される。ユニットは、画像形成装置のフレーム本体から簡単に取り外されて、転写ベルトの交換が行われる。この方式では、ユニットをガイドするスライドレールやユニットを収納する収納機構が必要となるため、部品点数が増えコストが増大する。
【００１２】
また、転写ベルトの内部には、前述のローラ類の他に、コロナ転写器や転写ベルトを感光体に押し付ける支持ローラ等を内蔵している。ユニットにおいて主に機能が劣化するのは転写ベルトのみであるが、ユニット交換時には、これらの内蔵部品もそっくり交換することとなり、大量に印刷を行うプリンタにおいては、ユニット毎の交換により、装置を維持するためのランニングコストが増大することになる。
【００１３】
このような方式において、ユニットの転写ベルトのみを交換しようとすると、ユニット内部の内蔵部品を取外した後に、再度取り付けなければならず、交換作業に時間を要する。通常部品交換などのメンテナンス時には、装置を止めて作業を行う必要があり、このように転写ベルトのみを交換しようとすると、長時間装置を止めることになる。メンテナンスに長時間を要すると、その間の業務に差し支えが生じるばかりでなく、保守にかかる費用も莫大なものとなる。
【００１４】
また、特開２００３−７６１５０号公報記載の転写装置のような構成とすると、転写ベルト保持ユニット及び収納ユニットを画像形成装置から取出すときに、一旦、紙詰まりが生じたときに詰まった紙を取り除くいわゆるジャムクリア位置に退避させる必要があるが、このときに、高圧給電部が転写ベルト保持ユニットと一体に回動するため、回動するスペースを確保する必要があり、転写装置が設けられた画像形成装置を小型化することは困難である。
そこで、本発明では、転写ベルトを交換するときには、転写ベルトのみを転写装置から簡単に取外し可能であり、且つ、転写装置が設けられる静電記録装置の小型化を図ることができる転写装置を提供することを目的とする。
【課題を解決するための手段】
【００１５】
上記目的を達成するために、本発明は、本体フレームと、該本体フレーム内において回転可能に支持され、略円柱状をなし、表面に静電潜像が形成され該静電潜像の形成された該表面に該現像剤が付着される記録体と、該本体フレーム内に収容され、高電圧を該記録体に印加するための帯電器と、該本体フレーム内に収容され、高電圧が印加された該記録体に露光を行うため露光器と、該本体フレーム内に収容され、トナーを該記録体上に供給してトナー像を該記録体上に形成するための現像装置とを備える静電記録装置に設けられる転写装置であって、第１のローラと第２のローラとの少なくとも２つのローラと、該２つのローラを掛渡すようにして設けられた無端状の転写ベルトとを有する転写ベルト部と、該記録体上のトナー像を被転写材に転写するためのコロナ転写器と、該転写ベルトを該記録体に押圧するための支持ローラとを有し該転写ベルト部から着脱可能な収納ユニットと、該コロナ転写器に高電圧を印加するための高圧給電部とを備え、該本体フレーム内において該第１のローラが該本体フレームに回転可能に支持されることにより該第１のローラを回転軸として回動可能であり、該本体フレームに対して着脱可能であり、該転写ベルトによって該被転写材を該記録体に押圧し、トナーと逆極性の電荷を印加することにより該記録体上のトナー像を該被転写材に転写する転写装置において、該高圧給電部は、一端側の部分が該本体フレームに回動可能に支持されて高圧給電部回転軸をなし、他端側の部分が該転写ベルト部に回動可能に支持され、該転写ベルト部の回転軸とは異なる該高圧給電部回転軸を中心に回動する転写装置を提供している。
【００１６】
ここで、該収納ユニットは収納ユニット本体を有し、該収納ユニット本体は略平行に配置された一対の板状部を有し、該一対の板状部にはそれぞれ同一形状の切欠き部が形成され、該切欠き部は、開口部と、該開口部から平行に延出する切欠き部平行部と、該開口部が形成されている該切欠き部平行部の一端に対する他端に接続され該切欠き部平行部の幅よりも径の大きい円形部とからなり、該第１のローラの回転軸の外周は、該切欠き部の該円形部と略同一径の一対の円弧状部と、該一対の円弧状部を互いにむすび該切欠き部の該平行部の幅と略同一幅の一対の回転軸平行部とを有し、該切欠き部平行部と該回転軸平行部とは、該収納ユニットが該転写ベルト部に装着され該トナー像の該被転写材への転写が行われているときには平行の位置関係にならず、該転写ベルト部が該収納ユニットに対して所定角度回動された状態のときに平行の位置関係となることが好ましい。
【００１７】
また、該高圧給電部の一端側の部分には長穴が形成され、該長穴にはシャフトが挿入され、該シャフトの一端は該本体フレームに固定されることにより該高圧給電部は該本体フレームに回動可能に支持され、該シャフトは該長穴内を相対的に移動可能であり、該転写ベルト部が回動しているときには該シャフトが該長穴内を相対的に移動することが好ましい。
【００１８】
また、該本体フレームに対して着脱する際に該収納ユニットを着脱方向へ案内するための案内部を該本体フレームが有していることが好ましい。
【００１９】
また、該転写ベルト部内にはコロトロンワイヤが設けられ、該コロトロンワイヤの少なくとも一端は該転写ベルト部から突出するワイヤ突出部を有し、該ワイヤ突出部は、該ワイヤ突出部に同軸的に設けられた略円筒状保護部材により保護され、該高圧給電部には、略円筒状をなし該略円筒状保護部材の外径よりも大きな内径を有し、該略円筒状保護部材を挿入可能な略円筒状保護部材受け部が設けられ、該略円筒状保護部材受け部の該転写ベルト部に対向する一端部は、内径が該略円筒状保護部材受け部の他端側から該一端に近づくに従い徐々に大きくなる拡径部を有していることが好ましい。
【発明の効果】
【００２０】
本発明の請求項１記載の転写装置によれば、高圧給電部は、一端側の部分が本体フレームに回動可能に支持されて高圧給電部回転軸をなし、他端側の部分が転写ベルト部に回動可能に支持され、転写ベルト部の回転軸とは異なる高圧給電部回転軸を中心に回動するため、転写装置をいわゆるジャムクリア位置に回動させるときの高圧給電部の移動空間を小さくすることができる。このため、静電記録装置の小型化を図ることができる。
【００２１】
また、転写装置は、第１のローラと第２のローラとの少なくとも２つのローラと、２つのローラを掛渡すようにして設けられた無端状の転写ベルトとを有する転写ベルト部と、記録体上のトナー像を被転写材に転写するためのコロナ転写器と、転写ベルトを記録体に押圧するための支持ローラとを有し転写ベルト部から着脱可能な収納ユニットとを備えるため、装置の構成を複雑にすることなく、容易に転写装置を静電記録装置から取外すことができ、また、容易に転写ベルト部を収納ユニットから取外すことができ、容易に転写ベルトを交換できる。このため、転写装置自体のコスト低減、及び転写装置の保守コストの低減を図ることができる。
【００２２】
本発明の請求項２記載の転写装置によれば、一対の板状部にはそれぞれ同一形状の切欠き部が形成され、切欠き部は、開口部と、開口部から平行に延出する切欠き部平行部と、開口部が形成されている切欠き部平行部の一端に対する他端に接続され切欠き部平行部の幅よりも径の大きい円形部とからなり、第１のローラの回転軸の外周は、切欠き部の円形部と略同一径の一対の円弧状部と、一対の円弧状部を互いにむすび切欠き部の平行部の幅と略同一幅の一対の回転軸平行部とを有し、切欠き部平行部と回転軸平行部とは、収納ユニットが転写ベルト部に装着されトナー像の被転写材への転写が行われているときには平行の位置関係にならず、転写ベルト部が収納ユニットに対して所定角度回動された状態のときに平行の位置関係となるため、転写ベルト部を収納ユニットに対して所定角度回転させた状態のときにのみ、転写ベルト部を収納ユニット部から取外し可能とすることができる。このため、転写装置の静電記録装置からの着脱時に、不意に転写ベルト部が収納ユニットから外れてしまうことを防止することができる。
【００２３】
本発明の請求項３記載の転写装置によれば、高圧給電部の一端側の部分には長穴が形成され、長穴にはシャフトが挿入され、シャフトの一端は本体フレームに固定されることにより高圧給電部は本体フレームに回動可能に支持され、シャフトは長穴内を相対的に移動可能であり、転写ベルト部が回動しているときにはシャフトが長穴内を相対的に移動するため、高圧給電部の高圧給電部回転軸の位置と、転写ベルト部の回転軸の位置とが異なり、転写ベルト部の回動の軌跡と高圧給電部の回動の軌跡とが異なっていても、スムーズに高圧給電部、転写ベルト部をそれぞれ回動させることができる。
【００２４】
本発明の請求項４記載の転写装置によれば、本体フレームに対して着脱する際に収納ユニットを着脱方向へ案内するための案内部を本体フレームが有しているため、転写装置の静電記録装置への装着を極めて容易とすることができる。
【００２５】
本発明の請求項５記載の転写装置によれば、転写ベルト部内にはコロトロンワイヤが設けられ、コロトロンワイヤの少なくとも一端は転写ベルト部から突出するワイヤ突出部を有し、ワイヤ突出部は、ワイヤ突出部に同軸的に設けられた略円筒状保護部材により保護され、高圧給電部には、略円筒状をなし略円筒状保護部材の外径よりも大きな内径を有し、略円筒状保護部材を挿入可能な略円筒状保護部材受け部が設けられ、略円筒状保護部材受け部の転写ベルト部に対向する一端部は、内径が略円筒状保護部材受け部の他端側から一端に近づくに従い徐々に大きくなる拡径部を有しているため、略円筒状保護部材の略円筒状保護部材受け部への挿入を極めて容易とすることができる。
【発明を実施するための最良の形態】
【００２６】
本発明の実施の形態による転写装置について図１乃至図１７を参照しながら説明する。先ず、転写装置が設けられる静電記録装置の構成及び動作について説明する。
【００２７】
図１に示されるように、静電記録装置１は、具体的には電子写真法を用いるレーザビームプリンタであり、表面に静電潜像を形成するための感光体ドラム１１と、コロナ放電により高電圧を印加し感光体ドラム１１の表面を−極性に帯電するための帯電器１３と、半導体レーザ等の光学系３により構成され静電潜像を形成するための露光器１２と、トナー像転写後の感光体ドラム１１からトナーを除去するためのクリーナ１４と、感光体ドラム１１から印刷用紙２へ転写されたトナー像を溶融定着させるための定着機１５と、感光体ドラム１１表面の電位と同極性である−極性トナーを感光体ドラム１１上に付着させるための現像装置１６と、紙等からなる記録媒体２を案内するためのガイド板１７と、記録媒体２を除電する除電器１８と、トナー像を記録媒体２上に転写するための転写装置３０とを備えている。また、本体フレーム２１（図７等）を備えており、感光体ドラム１１と、帯電器１３と、露光器１２と、クリーナ１４と、定着機１５と、現像装置１６と、ガイド板１７と、除電器１８と、プレチャージ１９と、イレーズランプ２０と、転写装置３０とは、本体フレーム２１に支持され、感光体ドラム１１は、本体フレーム２１に対して回転可能である。また、転写装置３０は、後述のように本体フレーム２１に対して着脱可能である。感光体ドラム１１は記録体に相当する。また、記録媒体は被転写材に相当する。
【００２８】
画像形成を行う際には、先ず、感光体ドラム１１が、図１の反時計方向に回転を開始する。次に、感光体ドラム１１の表面は帯電器１３によって−極性に一様に帯電される。次に、感光体ドラム１１上には、露光器１２に設けられた図示せぬ光源による露光によって静電潜像が形成される。次に、感光体ドラム１１の回転により、静電潜像が現像装置１６の位置に至ると、現像装置１６によって感光体ドラム１１上の静電潜像の位置にのみトナーが供給されて付着し、トナー像が形成される現像が行われる。
【００２９】
感光体ドラム１１上に形成されたトナー像は、感光体ドラム１１の回転により転写装置３０の位置に至ると、記録媒体２は、図示せぬ用紙搬送部によりガイド板１７に案内されて転写装置３０の方向へ搬送され、転写装置３０によって記録媒体２に転写され、除電器１８によって除電され、定着機１５によって定着される。転写装置３０によって記録媒体２にトナー像の転写を行った後の感光体ドラム１１上に残留した現像剤は、プレチャージ１９、イレーズランプ２０を経てクリーナ１４によって除去される。
【００３０】
次に、転写装置３０の構成及び動作について説明する。転写装置３０は、図２に示されるように、別個独立に設けられた転写ベルト部４０と、収納ユニット５０と、高圧給電部６０（図１１等）とを備えている。収納ユニット５０は、金属板により構成される収納ユニット本体５１と図示せぬコロナ転写器と図示せぬ支持ローラとを備えている。図示せぬコロナ転写器は、感光体ドラム１１上のトナー像を、後述の転写ベルト４４上に載置された記録媒体２に転写する。図示せぬ支持ローラは、後述の転写ベルト４４を感光体ドラム１１に押圧する。収納ユニット本体５１は、図２に示されるように、上面に略長方形状の開口部が形成された略箱状をなしており、図示せぬコロナ転写器と支持ローラとは、収納ユニット本体５１内に収納されている。収納ユニット５０は、後述の構成により転写ベルト部４０に対して着脱可能である。
【００３１】
転写ベルト部４０は、図１に示されるように、平行の位置関係で配置された第１のローラ４１と第２のローラ４２と第３のローラ４３と転写ベルト４４とを備えており、第１のローラ４１と第２のローラ４２との間に第３のローラ４３が配置されている。第１のローラ４１は駆動ローラであり、第２のローラ４２、第３のローラ４３は従動ローラである。転写ベルト４４は無端状であり、第１のローラ４１と第２のローラ４２とを掛渡すようにして設けられている。第１のローラ４１と第２のローラ４２とは、図２に示されるように、それぞれ収納ユニット本体５１の略長方形状をした開口部の２つの長辺に略一致する位置に配置されており、収納ユニット５０に転写ベルト部４０が装着されている状態のときには、転写ベルト部４０によって収納ユニット本体５１の開口部を覆うように構成されている。第１のローラ４１と第２のローラ４２と第３のローラ４３とが回転することにより、転写ベルト４４が回転して、転写ベルト４４上に載置された記録媒体２を搬送することができる。
【００３２】
転写ベルト部４０は、図６に示されるように、第２のローラ４２と第３のローラ４３とを支持する金属板からなる転写ベルト本体フレーム４５と、第３のローラ４３と第１のローラ４１とを支持しプラスチック板からなる回動フレーム４６とを備えており、回動フレーム４６は、第３のローラ４３の回転軸４３Ａによって、転写ベルト本体フレーム４５に対して回動可能に構成されている。転写ベルト本体フレーム４５と回動フレーム４６とには、図１に示されるような印刷時、即ち、画像形成時の状態のときに、同軸的な位置関係となる図示せぬ転写ベルト本体フレーム貫通孔と図示せぬ回動フレーム貫通孔とが形成されている。
【００３３】
図１に示されるような画像形成時には、図６に実線で示されるように、図示せぬ転写ベルト本体フレーム貫通孔及び回動フレーム貫通孔に１本のネジ４７が貫通し、回動フレーム４６は回動不能となるように構成されている。転写ベルト４４の交換時には、ネジ４７が外され、回動フレーム４６は転写ベルト本体フレーム４５に対して回動可能とされ、図６の二点鎖線で示されるような位置に回動され、転写ベルト４４に作用していた張力が開放された状態で転写ベルト４４の交換が行われる。
【００３４】
転写ベルト部４０内であって、第２のローラ４２と第３のローラ４３との間の位置には、図１に示されるように、内部にコロトロンワイヤ４８Ａを備えた略直方体形状の転写器４８が設けられている。転写器４８は、図１の紙面の表と裏とを結ぶ方向に長手方向が指向する略直方体形状をなし上面全面が開口部となっている転写器本体４８Ｂを有している。コロトロンワイヤ４８Ａは、図１２に示されるように、転写器本体４８Ｂ内において転写器本体４８Ｂの長手方向に略直線状をなし、その両端は、転写ベルト本体フレーム４５に保持された一対のプラスチック製の保持部材４８Ｇ、４８Ｇによって保持されて第１のローラ４１、第２のローラ４２、及び第３のローラ４３と平行に張られている。なお、図１２においては、一対の保持部材４８Ｇ、４８Ｇは説明の便宜のために形状を簡略化して図示している。
【００３５】
一対の保持部材４８Ｇ、４８Ｇにおいては、図１２、図１３に示されるように、コロトロンワイヤ４８Ａの両端がそれぞれ収縮バネ４８Ｃ、４８Ｄの一端に掛けられており、収縮バネ４８Ｃの他端は転写ベルト部４０から突出するワイヤ突出部４８Ｅをなす。収縮バネ４８Ｄの他端は転写ベルト部４０から突出しておらず先端接続部をなす。収縮バネ４８Ｃ、４８Ｄは、一対の保持部材４８Ｇ、４８Ｇによってそれぞれ保持されており、この構成により、前述のようにコロトロンワイヤ４８Ａは、一対の保持部材４８Ｇ、４８Ｇにより間接的に保持されている。
【００３６】
一対の保持部材４８Ｇ、４８Ｇには、図１３又は図１４に示されるように、略円筒状保護部材４８Ｈ、４８Ｈがそれぞれ設けられている。略円筒状保護部材４８Ｈは、ワイヤ突出部４８Ｅ、４８Ｆの軸に同軸的に設けられており、ワイヤ突出部４８Ｅ、４８Ｆの周囲を取囲み、ワイヤ突出部４８Ｅ、４８Ｆを保護する。ワイヤ突出部４８Ｅ、４８Ｆ及び略円筒状保護部材４８Ｈは、後述の高圧給電部６０の略円筒状保護部材受け部６２に挿入可能である。
【００３７】
第１のローラ４１の回転軸４１Ａの外周は、図４に示されるように、後述の切欠き部５１ａの円形部５１ｄと略同一径の一対の円弧状部４１Ｂと、一対の円弧状部４１Ｂを互いに結び後述の切欠き部５１ａの平行部の幅と略同一幅の一対の回転軸平行部４１Ｃとを有している。
【００３８】
一方、第１のローラ４１が位置している収納ユニット本体５１の略長方形状をした開口部の一の長辺には、図２、図３に示されるように、略長方形状をした開口部の２つの短辺を延長したような略平行な一対の板状部５１Ａを有している。板状部５１Ａには、図４に示されるように、他の長辺の方向に向けてそれぞれ同一形状の切欠き部５１ａが形成されており、切欠き部５１ａは、図４に示されるように、板状部５１Ａの延出方向に向けて開口する開口部５１ｂと、開口部５１ｂから収納ユニット本体５１の開口部の他の長辺に向けて、即ち、図１４の左方向へ向けて平行に延出する切欠き部平行部５１ｃと、開口部５１ｂが形成されている切欠き部平行部５１ｃの一端に対する他端に接続され切欠き部平行部５１ｃの幅よりも径の大きい円形部５１ｄとを有する。
【００３９】
切欠き部平行部５１ｃと回転軸平行部４１Ｃとは、転写ベルト部４０によって収納ユニット本体５１の開口部を覆っているとき、即ち、収納ユニット５０が転写ベルト部４０に装着されトナー像の記録媒体２への転写が行われているときには平行の位置関係にならず、図４の左方向へ転写ベルト部４０を移動させようとしても、第１のローラ４１の円弧状部４１Ｂが収納ユニット本体５１の円形部５１ｄを画成する板状部５１Ａに当接して、転写ベルト部４０を収納ユニット５０から取外すことができないように構成されている。
【００４０】
しかし、図５に示されるように、転写ベルト部４０が収納ユニット５０に対して所定角度回動角度たる略７５度回動された状態のときには、収納ユニット本体５１の切欠き部平行部５１ｃと第１のローラ４１の回転軸平行部４１Ｃとが平行の位置関係となり、図４に示されるように左方向へ転写ベルト部４０を移動させようとすると、第１のローラ４１の回転軸平行部４１Ｃが収納ユニット本体５１の切欠き部平行部５１ｃの間を通過して、転写ベルト部４０を収納ユニット５０から取外すことができるように構成されている。このため、転写装置３０の静電記録装置１からの着脱時に、不意に転写ベルト部４０が収納ユニット５０から外れてしまうことを防止することができる。
【００４１】
高圧給電部６０は、図１１に示されるように、略長方形状をした基部６１と、略円筒状保護部材受け部６２と、高圧給電部収納部６３とを備える。基部６１の一端近傍の部分、即ち、一の短辺近傍の部分には、図１５に示されるように、略長方形をした基部６１の長辺に平行に延出する長穴６１ａが形成されており、長穴６１ａには、後述のようにネジ６４のシャフト６４Ａ（図１６）の部分が挿入される。
【００４２】
略円筒状保護部材受け部６２は、図１１に示されるように、略長方形状をした基部６１の他の短い辺近傍部の部分に設けられ、略長方形状をした基部６１の面から垂直に延出している。略円筒状保護部材受け部６２は略円筒状をなしており、略円筒状保護部材４８Ｈの外径よりも大きな内径を有し、略円筒状保護部材４８Ｈ（図１４等）を挿入可能である。後述のように、転写装置３０が静電記録装置１に装着されている状態のときに、略円筒状保護部材受け部６２の転写ベルト部４０に対向する一端部、即ち、略円筒状保護部材受け部６２の延出端部は、図１４に示されるように、内径が略円筒状保護部材受け部６２の他端側、即ち、基部６１の側から当該一端に近づくに従い徐々に大きくなる拡径部６２Ａを有している。このため、後述のように、略円筒状保護部材４８Ｈを略円筒状保護部材受け部６２へ挿入する際に、略円筒状保護部材４８Ｈが略円筒状保護部材受け部６２と完全に同軸的になっておらず、多少ずれた位置関係になっていても、当該挿入を極めて容易に行うことができる。
【００４３】
略円筒状保護部材受け部６２の内部には、図１３に示されるように電極板６２Ｂが設けられている。電極板６２Ｂは、略円筒状保護部材４８Ｈが略円筒状保護部材受け部６２へ挿入されたときに、収縮バネ４８Ｃの端部に接触するように構成されている。電極板６２Ｂは、図１に示されるように、高圧電源２２（図１）に接続されており、電極板６２Ｂから収縮バネ４８Ｃ、４８Ｄを介してコロトロンワイヤ４８Ａに高圧電圧を印加可能である。
【００４４】
高圧給電部収納部６３に設けられた電極板６２Ｂには高圧ケーブルが締結されており、その高圧ケーブルが高圧電源に接続されている。
【００４５】
高圧給電部６０は、収納ユニット５０や転写ベルト部４０によって支持されてはおらず、本体フレーム２１によって支持されている。高圧給電部６０においては、図１１、図１５、図１６に示されるように、高圧給電部６０の基部６１に形成された長穴６１ａにネジ６４のシャフト６４Ａの部分が貫通し、ネジ６４のシャフト６４Ａの部分の先端部は本体フレーム２１に形成された雌ネジ２１ａに螺合している。ネジ６４は、長穴６１ａに対して相対的に移動可能且つ回動可能であるため、高圧給電部６０は、本体フレーム２１に対して相対的に移動可能且つ回動可能に、その一端側が支持されている。
【００４６】
また、上述のように高圧給電部６０の略円筒状保護部材受け部６２（図１３等）には、コロトロンワイヤ４８Ａの両端を支持する一対の支持部材の略円筒状保護部材４８Ｈが挿入される。このことにより高圧給電部６０の他端部は、転写ベルト部４０の略円筒状保護部材４８Ｈによって、転写ベルト部４０に対して回動可能に支持される。後述のように、ジャムクリア時に転写ベルト部４０及び収納ユニット５０が第１のローラ４１の回転軸４１Ａを中心に回動されてジャムクリア位置とされたときには、高圧給電部６０は、転写ベルト部４０及び収納ユニット５０と一体に第１のローラ４１の回転軸４１Ａを中心に回動せずに、図１７に示されるように、第１のローラ４１の回転軸４１Ａとは異なる高圧給電部回転軸、即ち、長穴６１ａに貫通しているネジ６４を中心に回動するように構成されている。このため、転写装置３０をジャムクリア位置に回動させるときの高圧給電部６０の移動空間を小さくすることができ、静電記録装置１の小型化を図ることができる。また、高圧給電部６０の高圧給電部回転軸たるネジ６４の位置と、転写ベルト部４０の回転軸４１Ａの位置とが異なり、転写ベルト部４０の回動の軌跡と高圧給電部６０の回動の軌跡とが異なっていても、スムーズに高圧給電部６０、転写ベルト部４０を回動させることができる。
【００４７】
本体フレーム２１の一部であって高圧給電部６０がジャムクリア位置となる部分には、図１７に示されるようにストッパ２３が設けられている。ストッパ２３は、感光体ドラム１１の軸方向に平行に本体フレーム２１から突出するピンからなり、ジャムクリア位置にあるときの高圧給電部６０の基部６１に当接する。このことにより、転写装置３０が静電記録装置１から後述のように取外されたときにも、高圧給電部６０をジャムクリア位置にあるのときの位置に保持することができる。
【００４８】
本体フレーム２１の一部であって感光体ドラム１１の周面に対向する位置には、図８に示されるように、案内部２４が設けられている。案内部２４は、略水平な面２４Ａと、水平に対して略４５度の角度をなす略４５度の面２４Ｂとを有している。略水平な面２４Ａには、凸部２４Ｃが設けられており、後述のジャムクリア位置に収納ユニット５０があるときに、収納ユニット５０の開口部に対する底面５１Ｂに形成された凹部５１ｅに当該凸部２４Ｃが部分的に入り込み、収納ユニット５０がジャムクリア位置に安定するように構成されている。また、略４５度の面２４Ｂは、収納ユニット５０がジャムクリア位置にあるときに、収納ユニット５０の底面５１Ｂに当接することにより収納ユニット５０がジャムクリア位置に安定するように構成されている。案内部２４が設けられているため、後述のように転写装置３０を静電記録装置１に対して着脱するときに、転写装置３０を案内部２４に載せて静電記録装置１内に挿入したり引出したりすることができ、転写装置３０の着脱を極めて容易とすることができる。
【００４９】
転写ベルト部４０が収納ユニット５０に装着された状態の転写装置３０は、転写ベルト部４０の第１のローラ４１の軸方向の両端に、第１のローラ４１の軸に同軸的に配設されたボールベアリング４１Ｄ（図１０）が、本体フレーム２１に回転可能に支持されることにより、本体フレーム２１に対して回動可能に支持される。より具体的には、図７、図９に示されるように、本体フレーム２１は、本体フレーム２１の大部分をなす本体フレーム基部２１Ａと略板状をしたホルダ２１Ｂとを有しており、ホルダ２１Ｂは、本体フレーム基部２１Ａにネジ止めされており、本体フレーム基部２１Ａから着脱可能である。ホルダ２１Ｂには、図１０に示されるように、貫通孔２１ｂが形成されており、貫通孔２１ｂには、一端が塞がれた略筒状のベアリング受け部２１Ｃが嵌合している。
【００５０】
感光体ドラム１１の軸方向における本体フレーム基部２１Ａのホルダ２１Ｂが設けられている位置に対向する位置にも、図示せぬ貫通孔が形成されており、図示せぬ貫通孔には、一端が塞がれた略筒状の図示せぬベアリング受け部が嵌合している。本体フレーム２１のベアリング受け部２１Ｃ内に、図１０に示されるように、転写ベルト部４０の第１のローラ４１の軸方向の両端に配設されたボールベアリング４１Ｄが挿入されそれぞれ保持されることにより、転写装置３０は、後述のジャムクリア位置とそれ以外の位置との間で、本体フレーム２１に対して回動することができるように支持されている。
【００５１】
画像形成時に、感光体ドラム１１上に形成されたトナー像が、感光体ドラム１１の回転により転写装置３０の位置に至ると、転写装置３０は、駆動ローラたる第１のローラ４１が回転することにより、図１の矢印で示される方向に回転する。そして、コロトロンワイヤ４８Ａに高電圧が印加され、コロナ放電により転写ベルト４４の表面には、トナーと逆極性の電荷が発生する。搬送されてきた記録媒体２は、この電荷によってトナー画像を転写すると同時に記録媒体２を転写ベルト４４に吸着し搬送する。転写ベルト４４によって搬送された記録媒体２は、第１のローラ４１の位置に至った後、除電器１８によって除電され、定着機１５で定着される。
【００５２】
転写装置３０を静電記録装置１から取外すときには、先ず、転写装置３０を、第１のローラ４１に回動軸を中心として、図１７において２点鎖線で示される通常印刷を行う画像形成時の状態の位置、即ち、転写ベルト４４を感光体ドラム１１に押圧している位置から、図１７の実線及び図７に示されるジャムクリア位置、即ち、転写ベルト４４を感光体ドラム１１から離間させた位置へと回動させる。より具体的には、図７、図８、図９、図１７における半時計方向に転写装置３０を回動させる。次に、ホルダ２１Ｂを本体フレーム基部２１Ａに固定しているネジを外すことによりホルダ２１Ｂを取外す。この状態で、図９に示されるように、転写装置３０を静電記録装置１から案内部２４に沿って引き出す。このとき、高圧給電部６０はストッパ２３によりジャムクリア位置に保持される。
【００５３】
取外された転写装置３０から転写ベルト４４を交換するときには、図５の左側の図に示されるように、転写ベルト部４０を収納ユニット５０に対して略７５度回動させた位置とすることにより、第１のローラ４１の回転軸平行部４１Ｃと切欠き部平行部５１ｃとを平行の位置関係とする。そして、転写ベルト部４０を図５に示される右方向へ移動させ、図５の右側の図のように切欠き部５１ａから第１のローラ４１の回転軸平行部４１Ｃを取外すことにより、転写ベルト部４０を収納ユニット５０から取外す。
【００５４】
次に、転写ベルト部４０の図示せぬ転写ベルト本体フレーム貫通孔及び回動フレーム貫通孔に貫通しているネジ４７を外し、図６の二点鎖線で示されるような位置に回動フレーム４６を回動し、転写ベルト４４に作用していた張力を開放して転写ベルト４４の交換を行う。転写ベルト４４の交換が終わった転写装置３０の静電記録装置１への装着は、上述の逆の工程により行われる。
【産業上の利用可能性】
【００５５】
本発明の転写装置は、電子写真方式のプリンタ、複写機等の静電記録装置の分野であって、転写ベルトの交換が必要な転写装置等に適用可能である。
【図面の簡単な説明】
【００５６】
【図１】本発明の実施の形態による転写装置を備える静電記録装置を示す概略図。
【図２】本発明の実施の形態による転写装置を構成する転写ベルト部と収納ユニットとを示す斜視図。
【図３】本発明の実施の形態による転写装置を構成する転写ベルト部と収納ユニットとを示す要部斜視図。
【図４】本発明の実施の形態による転写装置を構成する転写ベルト部の第１のローラの回転軸と収納ユニットの板状部とを示す拡大図。
【図５】本発明の実施の形態による転写装置の収納ユニットから転写ベルト部を取外す様子を示す正面図。
【図６】本発明の実施の形態による転写装置の転写ベルト部を示す正面図。
【図７】本発明の実施の形態による転写装置が静電記録装置に装着されている状態を示す要部斜視図。
【図８】本発明の実施の形態による転写装置が本体フレームの案内部に支持されている様子を示す概念図。
【図９】本発明の実施の形態による転写装置が静電記録装置から取外される様子を示す要部斜視図。
【図１０】本発明の実施の形態による転写装置の第１のローラのボールベアリングが、本体フレームのベアリング受け部に挿入される様子を示す要部断面図。
【図１１】本発明の実施の形態による転写装置の高圧給電部を示す斜視図。
【図１２】本発明の実施の形態による転写装置のコロトロンワイヤを示す概略図。
【図１３】本発明の実施の形態による転写装置のコロトロンワイヤの一端と高圧給電部の略円筒状保護部材受け部とを示す概略図。
【図１４】本発明の実施の形態による転写装置のコロトロンワイヤの一端と高圧給電部の略円筒状保護部材受け部とを示す拡大図。
【図１５】本発明の実施の形態による転写装置の高圧給電部の長穴にネジが挿入されている様子を示す概略図。
【図１６】本発明の実施の形態による転写装置の高圧給電部の長穴にネジが挿入されている様子を示す要部断面図。
【図１７】本発明の実施の形態による転写装置の、転写ベルト部と高圧給電部とが回動する様子を示す概念図。
【符号の説明】
【００５７】
１・・・静電記録装置  ２・・・記録媒体  １１・・・感光体ドラム  １２・・・露光器  １３・・・帯電器  １６・・・現像装置  ２１・・・本体フレーム  ２４・・・案内部  ３０・・・転写装置  ４０・・・転写ベルト部  ４１・・・第１のローラ  ４１Ｂ・・・円弧状部  ４１Ｃ・・・回転軸平行部  ４２・・・第２のローラ  ４４・・・転写ベルト  ４８Ａコロトロンワイヤ  ４８Ｅ・・・ワイヤ突出部  ４８Ｈ・・・略円筒状保護部材  ５０・・・収納ユニット  ５１・・・収納ユニット本体  ５１ａ・・・切欠き部  ５１ｂ・・・開口部  ５１ｃ・・・切欠き部平行部  ５１ｄ・・・円形部  ６０・・・高圧給電部  ６１ａ・・・長穴  ６４Ａ・・・シャフト  ６２Ａ・・・拡径部
【図１】
2006071771.tif 000003
【図２】
2006071771.tif 000004
【図３】
2006071771.tif 000005
【図４】
2006071771.tif 000006
【図５】
2006071771.tif 000007
【図６】
2006071771.tif 000008
【図７】
2006071771.tif 000009
【図８】
2006071771.tif 000010
【図９】
2006071771.tif 000011
【図１０】
2006071771.tif 000012
【図１１】
2006071771.tif 000013
【図１２】
2006071771.tif 000014
【図１３】
2006071771.tif 000015
【図１４】
2006071771.tif 000016
【図１５】
2006071771.tif 000017
【図１６】
2006071771.tif 000018
【図１７】
2006071771.tif 000019